(57)【要約】【課題】簡単な構造変更によりバスバーの締結構造を簡略化することができるバッテリモジュールを提供する。【解決手段】締結部を備えた端子をそれぞれ含み、複数の端子と前記締結部を提供する複数のバッテリセルと、隣接するバッテリセルの端子を、前記締結部を用いて締まり嵌め方式で連結するバスバーとを含むことを特徴とするバッテリモジュール。【選択図】図１
2013214498.tif 000002
【特許請求の範囲】
【請求項１】
締結部を備えた端子をそれぞれ含み、複数の端子と前記締結部を提供する複数のバッテリセルと、
隣接するバッテリセルの端子を、前記締結部を用いて締まり嵌め方式で連結するバスバーとを含むことを特徴とするバッテリモジュール。
【請求項２】
前記バスバーは、両端を備えるバスバー本体を含み、
前記バスバー本体の両端は、前記締結部の形状に対応する形状を有することを特徴とする請求項１に記載のバッテリモジュール。
【請求項３】
前記締結部は、バスバーの挿入方向に垂直な断面で四角形形状を有し、
前記バスバー本体の両端は、バスバーの挿入方向に垂直な断面が、当該締結部の前記断面の形状に相当する四角形形状を有することを特徴とする請求項２に記載のバッテリモジュール。
【請求項４】
前記締結部は、バスバーの挿入方向に垂直な断面で円形形状を有し、
前記バスバー本体の両端は、バスバーの挿入方向に垂直な断面が、当該締結部の前記断面の形状に相当する円形形状を有することを特徴とする請求項２に記載のバッテリモジュール。
【請求項５】
前記バスバーは、中空型であることを特徴とする請求項４に記載のバッテリモジュール。
【請求項６】
前記バスバー本体の両端は、締結リブと、前記締結リブの間の締結溝とを含むことを特徴とする請求項２〜５のいずれか一項に記載のバッテリモジュール。
【請求項７】
前記端子は、端子の上部領域から部分的に延びた締結窓を含むことを特徴とする請求項２〜６のいずれか一項に記載のバッテリモジュール。
【請求項８】
前記バスバー本体の両端は、締結窓と結合される１つ以上のラッチ部を含むことを特徴とする請求項７に記載のバッテリモジュール。
【請求項９】
前記バスバー本体の両端は、１つのラッチ部を備え、前記ラッチ部は、前記締結窓に向かって凸状に突出していることを特徴とする請求項８に記載のバッテリモジュール。
【請求項１０】
前記バスバー本体の両端は、締結リブと、前記締結リブの間の締結溝とを備え、前記締結リブの少なくとも１つは、ラッチ部を含むことを特徴とする請求項８に記載のバッテリモジュール。
【請求項１１】
前記バスバー本体と、前記バスバー本体から外側に延びた延長部とを含むバスバーを含み、
前記延長部は、前記締結部の幅より広い幅を有することを特徴とする請求項１に記載のバッテリモジュール。
【請求項１２】
前記隣接するバッテリセルの締結部は、相互に向かい合って位置し、
前記バスバーは、前記締結部の間で一直線に延びたことを特徴とする請求項１〜１１のいずれか一項に記載のバッテリモジュール。
【請求項１３】
前記隣接するバッテリセルの締結部は、同じ方向を向くように配置され、
前記バスバーは実質的にＵ形状で、前記Ｕ形状のレッグからなるバスバー延長部の両端が前記締結部に挿入されて連結されることを特徴とする請求項１〜１１のいずれか一項に記載のバッテリモジュール。
【請求項１４】
少なくとも１つの前記バッテリセルは、２つの隣接するバッテリセルに連結され、当該少なくとも１つのバッテリセルの端子部の締結部は、第１バスバーを介して隣接する２つのバッテリセルのうちのいずれか１つに連結され、第２バスバーを介して隣接する２つのバッテリセルのうちの他の１つに連結されることを特徴とする請求項１〜１３のいずれか一項に記載のバッテリモジュール。
【請求項１５】
前記第１バスバーと第２バスバーは、前記少なくとも１つのバッテリセルの端子部の締結部内で互いに連結されることを特徴とする請求項１４に記載のバッテリモジュール。
【請求項１６】
前記第１バスバーと第２バスバーは、それぞれ第１両端部および第２両端部を備え、前記第１バスバーの第１両端部は、前記少なくとも１つのバッテリセルの端子部の締結部内で前記第２バスバーの第２両端部に締まり嵌め式で結合されることを特徴とする請求項１５に記載のバッテリモジュール。
【請求項１７】
前記第１バスバーおよび第２バスバーの第１両端部と第２両端部は、固定リブと固定溝を含み、前記第１両端部の固定リブと固定溝は、前記第２両端部の固定リブと固定溝に結合可能な形態を有することを特徴とする請求項１６に記載のバッテリモジュール。
【請求項１８】
前記第１バスバーの第１両端部は、中空型の棒であり、前記第２バスバーの第２両端部は、前記第１両端部の内周面に対応する円筒型の外周面を有することを特徴とする請求項１６に記載のバッテリモジュール。
【請求項１９】
前記バッテリモジュールは、前記バッテリセルを内蔵し、前記バッテリセルを密着させるハウジングをさらに含み、
前記ハウジングは、前記バッテリセルの最外側面と向かい合うエンドプレートと、前記エンドプレートを連結するサイドプレートとを含むことを特徴とする請求項１〜１８のいずか一項に記載のバッテリモジュール。
【請求項２０】
前記隣接するバッテリセルの端子部は、バスバーによって連結され、前記ハウジングは、前記バッテリセルを密着させることを特徴とする請求項１９に記載のバッテリモジュール。
【発明の詳細な説明】
【技術分野】
【０００１】
本発明は、バッテリモジュールに関する。
【背景技術】
【０００２】
最近、高エネルギー密度の非水電解液を用いた高出力バッテリモジュールが開発されており、前記高出力バッテリモジュールは、高電力を必要とする機器、例えば、電気自動車などのモータ駆動に使用できるように、複数のバッテリセルを直列または並列に連結して大容量のバッテリモジュールを構成する。
【０００３】
通常、バッテリモジュールは、複数のバッテリセルからなり得るが、隣り合う前記バッテリセルは、バスバーによって電気的に連結される。従来は、レーザ溶接やボルトとナットなどのような締結構造によりバスバーを連結した。最近では、前記のようなバスバーの締結構造を簡略化するための多様な研究が進んでいる。
【先行技術文献】
【特許文献】
【０００４】
【特許文献１】大韓民国特許公開第２０１０−０１０８８５３号
【特許文献２】大韓民国特許公開第２０１１−０１１９６９８号
【発明の概要】
【発明が解決しようとする課題】
【０００５】
そこで、本発明は、上記問題に鑑みてなされたものであり、本発明の目的とするところは、簡単な構造変更によりバスバーの締結構造を簡略化することができるバッテリモジュールを提供することにある。
【課題を解決するための手段】
【０００６】
上記課題を解決するために、本発明のある観点によれば、締結部を備えた端子をそれぞれ含み、複数の端子と前記締結部を提供する複数のバッテリセルと、隣接するバッテリセルの端子を、前記締結部を用いて締まり嵌め方式で連結するバスバーとを含むことを特徴とするバッテリモジュールが提供される。
【０００７】
前記バスバーは、両端を備えるバスバー本体を含み、前記バスバー本体の両端は、前記締結部の形状に対応する形状を有してもよい。
【０００８】
前記締結部は、バスバーの挿入方向に垂直な断面で四角形形状を有し、前記バスバー本体の両端は、バスバーの挿入方向に垂直な断面が、当該締結部の前記断面の形状に相当する四角形形状を有してもよい。
【０００９】
前記締結部は、バスバーの挿入方向に垂直な断面で円形形状を有し、前記バスバー本体の両端は、バスバーの挿入方向に垂直な断面が、当該締結部の前記断面の形状に相当する円形形状を有してもよい。
【００１０】
前記バスバーは、中空型であってもよい。
【００１１】
前記バスバー本体の両端は、締結リブと、前記締結リブの間の締結溝とを含んでもよい。
【００１２】
前記端子は、端子の上部領域から部分的に延びた締結窓を含んでもよい。
【００１３】
前記バスバー本体の両端は、締結窓と結合される１つ以上のラッチ部を含んでもよい。
【００１４】
前記バスバー本体の両端は、１つのラッチ部を備え、前記ラッチ部は、前記締結窓に向かって凸状に突出していてもよい。
【００１５】
前記バスバー本体の両端は、締結リブと、前記締結リブの間の締結溝とを備え、前記締結リブの少なくとも１つは、ラッチ部を含んでもよい。
【００１６】
前記バスバー本体と、前記バスバー本体から外側に延びた延長部とを含むバスバーを含み、前記延長部は、前記締結部の幅より広い幅を有してもよい。
【００１７】
前記隣接するバッテリセルの締結部は、相互に向かい合って位置し、前記バスバーは、前記締結部の間で一直線に延びていてもよい。
【００１８】
前記隣接するバッテリセルの締結部は、同じ方向を向くように配置され、前記バスバーは実質的にＵ形状で、前記Ｕ形状のレッグからなるバスバー延長部の両端が前記締結部に挿入されて連結されてもよい。
【００１９】
少なくとも１つの前記バッテリセルは、２つの隣接するバッテリセルに連結され、当該少なくとも１つのバッテリセルの端子部の締結部は、第１バスバーを介して隣接する２つのバッテリセルのうちのいずれか１つに連結され、第２バスバーを介して隣接する２つのバッテリセルのうちの他の１つに連結されてもよい。
【００２０】
前記第１バスバーと第２バスバーは、前記少なくとも１つのバッテリセルの端子部の締結部内で互いに連結されてもよい。
【００２１】
前記第１バスバーと第２バスバーは、それぞれ第１両端部および第２両端部を備え、前記第１バスバーの第１両端部は、前記少なくとも１つのバッテリセルの端子部の締結部内で前記第２バスバーの第２両端部に締まり嵌め式で結合されてもよい。
【００２２】
前記第１バスバーおよび第２バスバーの第１両端部と第２両端部は、固定リブと固定溝を含み、前記第１両端部の固定リブと固定溝は、前記第２両端部の固定リブと固定溝に結合可能な形態を有してよい。
【００２３】
前記第１バスバーの第１両端部は、中空型の棒であり、前記第２バスバーの第２両端部は、前記第１両端部の内周面に対応する円筒型の外周面を有してもよい。
【００２４】
前記バッテリモジュールは、前記バッテリセルを内蔵し、前記バッテリセルを密着させるハウジングをさらに含み、前記ハウジングは、前記バッテリセルの最外側面と向かい合うエンドプレートと、前記エンドプレートを連結するサイドプレートとを含んでもよい。
【００２５】
前記隣接するバッテリセルの端子部は、バスバーによって連結され、前記ハウジングは、前記バッテリセルを密着させてもよい。
【発明の効果】
【００２６】
以上説明したように本発明によれば、簡単な構造変更によりバスバーの締結構造を簡略化できるバッテリモジュールを提供することが可能である。
【図面の簡単な説明】
【００２７】
【図１】本発明の一実施形態にかかるバッテリモジュールの斜視図である。
【図２Ａ】図１のバッテリモジュールの端子およびこれに締結されるバスバーを説明するための斜視図である。
【図２Ｂ】図２Ａの分解斜視図である。
【図３Ａ】図２Ｂに示されたバスバーとは異なり、変形したバスバーを拡大した斜視図である。
【図３Ｂ】図２Ｂに示されたバスバーとは異なり、変形したバスバーを拡大した斜視図である。
【図３Ｃ】図２Ｂに示されたバスバーとは異なり、変形したバスバーを拡大した斜視図である。
【図４】本発明の他の実施形態にかかるバッテリモジュールの斜視図である。
【図５Ａ】図４のバッテリモジュールの端子およびこれに締結されるバスバーを説明するための斜視図である。
【図５Ｂ】図５Ａの分解斜視図である。
【図６】図５Ａ及び図５Ｂに示されたバスバーとは異なり、変形したバスバーを拡大した斜視図である。
【図７】本発明のさらに他の実施形態にかかるバッテリモジュールの斜視図である。
【図８Ａ】図７のバッテリモジュールの端子およびこれに締結されるバスバーを説明するための斜視図である。
【図８Ｂ】図８Ａの分解斜視図である。
【図９】本発明のさらに他の実施形態にかかるバッテリモジュールの斜視図である。
【図１０Ａ】図９のバッテリモジュールの端子およびこれに締結されるバスバーを説明するための平面図である。
【図１０Ｂ】図９の一部分の分解斜視図である。
【図１１】本発明のさらに他の実施形態にかかるバッテリモジュールの斜視図である。
【図１２Ａ】図１１のバッテリモジュールの端子およびこれに締結されるバスバーを説明するための斜視図である。
【図１２Ｂ】図１２Ａの分解斜視図である。
【発明を実施するための形態】
【００２８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２９】
本発明の利点および特徴、そして、それらを達成する方法は、添付した図面と共に詳細に後述する実施形態を参照すれば明確になるはずである。しかし、本発明は、以下に開示される実施形態に限定されるものではなく、互いに異なる多様な形態で実現可能であり、以下の説明において、ある部分が他の部分に連結されているとする時、これは、直隣的に連結されている場合のみならず、その中間に別の素子を挟んで電気的に連結されている場合も含む。また、図面において、本発明と関係のない部分は、本発明の説明を明確にするために省略し、明細書全体にわたり、類似の部分については同一の図面符号を付した。
【００３０】
以下、添付した図面を参考にして、本発明について説明する。
【００３１】
以下では、図１ないし図２Ｂを参照して、本発明の第１実施形態にかかるバッテリモジュールを説明する。
【００３２】
図１は、本発明の第１実施形態にかかるバッテリモジュールの斜視図であり、図２Ａは、図１のバッテリモジュールの端子およびこれに締結されるバスバーを説明するための斜視図であり、図２Ｂは、図２Ａの分解斜視図である。
【００３３】
図１を参照すれば、本発明の第１実施形態にかかるバッテリモジュール１は、複数のバッテリセル１０と、バッテリセル１０上に備えられ、締結部１０２を有する端子１００と、バッテリセル１０が電気的に連結されるように締結部１０２に締結されるバスバー１１０とを含む。
【００３４】
前記バッテリセル１０は、一面が開口した電池ケースと、前記電池ケース内に収納された電極組立体および電解液とからなり得る。電極組立体および電解液は、電気化学的反応をしてエネルギーを発生し、前記電池ケースは、キャッププレート１４によって密閉される。前記キャッププレート１４には、端子１００、前記端子１００と締結されるバスバー１１０およびベント部１３が具備できる。前記端子１００は、互いに異なる極性を有する正極端子および負極端子からなり得、ベント部１３は、バッテリセル１０の安全手段であって、バッテリセル１０の内部で発生する気体を外部に放出する通路として作用する。互いに隣接するバッテリセル１０の正極端子および負極端子は、バスバー１１０を介して電気的に連結できる。
【００３５】
前記バッテリセル１０は、複数個が整列できるが、この時、バッテリセル１０の整列状態を固定するためにハウジング２０を用いることができる。前記ハウジング２０は、エンドプレート２１およびサイドプレート２２を含むことができる。前記エンドプレート２１は、互いに対向して備えられ、最外角に位置するバッテリセル１０の広い面である長側面と対面する。前記サイドプレート２２は、バッテリセル１０の最外角に位置するエンドプレート２１を連結し、バッテリセル１０の狭い面である短側面と対面する。前記エンドプレート２１および前記サイドプレート２２は、複数のバッテリセル１０を固定するためのものであり、これは、バッテリモジュール１のデザインによって多様に変形できる。
【００３６】
本発明の実施形態にかかるバスバー１１０は、端子１００に締まり嵌め結合で締結できる。この時、バスバー１１０と端子１００は、従来とは異なり、ボルトおよびナットのような締結具によって連結されたり、溶接のような方法で必ずしも連結される必要はない。バッテリセル１０がエンドプレート２１およびサイドプレート２２からなるハウジング２０によって拘束されるため、バスバー１１０と端子１００との結合力が強固に維持可能である。また、バスバー１１０と端子１００とが結合された後、必要であれば、バスバー１１０と端子１００とが追加的に溶接されることも可能である。
【００３７】
図２Ａおよび図２Ｂを参照すれば、本発明の第１実施形態にかかる端子１００は、端子本体１０１と、バスバー１１０が締結される締結部１０２と、締結部１０２に連結され、締結状態が分かる締結窓１０３とを含む。ここで、締結部１０２の重力方向に並ぶ断面は長方形であり、前記締結部１０２に締結されるバスバー１１０は、締結部１０２に相応するバー（ｂａｒ）形態である。換言すると、バスバー１１０の締結部１０２に締結される部分の、バスバー１１０の挿入方向に垂直な断面は、前述した締結部１０２の断面の形状に相当する形状を有している。本発明の実施形態を参照して説明された重力方向は、バッテリセルの端子１００とベースとの間で、図１に示されたｚ軸に沿って延びた方向を意味する。締結部１０２は、バスバー１１０の挿入方向に垂直な断面で四角形であり得る。
【００３８】
前記端子１００と締結されるバスバー１１０は、バスバー本体１１１と、バスバー本体１１１から延びて端子１００の間に備えられる延長部１１２とを含む。ここで、延長部１１２は、一種のストッパ（ｓｔｏｐｐｅｒ）の役割を果たすことができるが、延長部１１２により締結部１０２に実際に締結されるバスバー本体１１１の長さを調整することができる。
【００３９】
以下、図３Ａないし図３Ｃを参照して、本発明の図１と図２Ｂで説明されたバスバーとは異なる、変形した形態のバスバーについて説明する。
【００４０】
図３Ａを参照すれば、バスバー１１０ａは、締結窓１０３に対応する形状を有し、バスバー本体１１１上に第１ラッチ部１１３ａを含むことができる。第１ラッチ部１１３ａは、凸レンズのように上方向に凸の形態であり得る。
【００４１】
図３Ｂを参照すれば、バスバー１１０ｂは、バスバー本体１１１上で第２ラッチ部１１３ｂを含むことができ、これは、締結窓に対応する領域上にある。第２ラッチ部１１３ｂは、複数の突起からなる形態であり得る。
【００４２】
図３Ｃを参照すれば、バスバー１１０内のバスバー本体１１１の少なくとも一部には、締結リブ１１５と、締結リブ１１５の間に備えられる締結溝１１６とが備えられる。締結リブ１１５上には、締結窓１０３に露出する第３ラッチ部１１３ｃがさらに備えられる。
【００４３】
図３Ａないし図３Ｃに示された第１ラッチ部１１３ａ、第２ラッチ部１１３ｂおよび第３ラッチ部１１３ｃは、締結部１０２に連結された締結窓１０３によって確保された空間内に収容できる。
【００４４】
以下では、図４ないし図５Ｂを参照して、本発明の他の実施形態にかかるバッテリモジュールを説明する。本実施形態では、図１の実施形態と同一または類似の構成に関する説明は省略し、図１の実施形態と異なる構成についてのみ説明する。
【００４５】
図４は、本発明の他の実施形態にかかるバッテリモジュールの斜視図であり、図５Ａは、図４のバッテリモジュールの端子およびこれに締結されるバスバーを説明するための斜視図であり、図５Ｂは、図５Ａの分解斜視図である。
【００４６】
図４を参照すれば、本発明の第２実施形態にかかるバッテリモジュール２は、複数のバッテリセル１０と、バッテリセル１０上に備えられ、締結部２０２を有する端子２００と、バッテリセル１０が電気的に連結されるように締結部２０２に締結されるバスバー２１０とを含む。
【００４７】
バッテリセル１０は、一面が開口した電池ケースと、前記電池ケース内に収納された電極組立体および電解液とからなり得る。電極組立体および電解液は、電気化学的反応をしてエネルギーを発生し、前記電池ケースは、キャッププレート１４によって密閉される。前記キャッププレート１４には、端子２００、前記端子２００と締結されるバスバー２１０およびベント部１３が具備できる。前記端子２００は、互いに異なる極性を有する正極端子および負極端子からなり得、ベント部１３は、バッテリセル１０の安全手段であって、バッテリセル１０の内部で発生する気体を外部に放出する通路として作用する。互いに隣接するバッテリセル１０の正極端子および負極端子は、バスバー２１０を介して電気的に連結できる。
【００４８】
本発明の実施形態にかかるバスバー２１０は、端子２００に締まり嵌め結合で締結できる。この時、バスバー２１０と端子２００は、従来とは異なり、ボルトおよびナットのような締結具によって連結されたり、溶接のような方法で必ずしも連結される必要はない。バッテリセル１０がエンドプレート２１およびサイドプレート２２からなるハウジング２０によって拘束されるため、バスバー２１０と端子２００との結合力が強固に維持可能である。また、バスバー２１０と端子２００とが結合された後、必要であれば、バスバー２１０と端子２００とが追加的に溶接されることも可能である。
【００４９】
図５Ａおよび図５Ｂを参照すれば、本発明の他の実施形態にかかる端子２００は、端子本体２０１と、バスバー２１０が締結される締結部２０２とを含む。ここで、締結部２０２の重力方向に並ぶ断面は円形であり、前記締結部２０２に締結されるバスバー２１０は、締結部２０２に相応する中空の棒形態である。換言すると、バスバー２１０の締結部２０２に締結される部分の、バスバー２１０の挿入方向に垂直な断面は、前述した締結部２０２の断面の形状に相当する形状を有している。締結部２０２は、バスバー２１０の挿入方向に垂直な断面で円形形態を有する（図４のｚ軸に沿って延びた方向）。
【００５０】
前記端子２００と締結されるバスバー２１０は、バスバー本体２１１と、バスバー本体２１１から延びて端子２００の間に備えられる延長部２１２とを含む。ここで、延長部２１２は、一種のストッパ（ｓｔｏｐｐｅｒ）の役割を果たすことができるが、延長部２１２により締結部２０２に実際に締結されるバスバー本体２１１の長さを調整することができる。
【００５１】
以下、図６を参照して、本発明の図４、図５Ｂに説明されたバスバーとは異なる、変形した形態のバスバーについて説明する。
【００５２】
バスバー本体２１１の少なくとも一部には、締結リブ２１５と、締結リブ２１５の間に備えられる締結溝２１６とが備えられる。締結リブ２１５と、締結リブ２１５の間に備えられる締結溝２１６とにより、バスバー本体２１１は、端子２００に締結される時、柔軟性あるように締結できるという利点がある。
【００５３】
以下では、図７ないし図８Ｂを参照して、本発明のさらに他の実施形態にかかるバッテリモジュールを説明する。本実施形態では、上述した実施形態と同一または類似の構成に関する説明は省略し、第１実施形態および第２実施形態と異なる構成についてのみ説明する。
【００５４】
図７は、本発明のさらに他の実施形態にかかるバッテリモジュールの斜視図であり、図８Ａは、図７のバッテリモジュールの端子およびこれに締結されるバスバーを説明するための斜視図であり、図８Ｂは、図８Ａの分解斜視図である。
【００５５】
図７を参照すれば、本発明のさらに他の実施形態にかかるバッテリモジュール３は、複数のバッテリセル１０と、バッテリセル１０上に備えられ、締結部３０２を有する端子３００と、バッテリセル１０が電気的に連結されるように締結部３０２に締結されるバスバー３１０とを含む。
【００５６】
バッテリセル１０は、一面が開口した電池ケースと、前記電池ケース内に収納された電極組立体および電解液とからなり得る。電極組立体および電解液は、電気化学的反応をしてエネルギーを発生し、前記電池ケースは、キャッププレート１４によって密閉される。前記キャッププレート１４には、端子３００、前記端子３００と締結されるバスバー３１０およびベント部１３が具備できる。前記端子３００は、互いに異なる極性を有する正極端子および負極端子からなり得る。ベント部１３は、バッテリセル１０の安全手段であって、バッテリセル１０の内部で発生する気体を外部に放出する通路として作用する。互いに隣接するバッテリセル１０の正極端子および負極端子は、バスバー３１０を介して電気的に連結できる。
【００５７】
本発明の実施形態にかかるバスバー３１０は、端子３００に締まり嵌め結合で締結できる。この時、バスバー３１０と端子３００は、従来とは異なり、ボルトおよびナットのような締結具によって連結されたり、溶接のような方法で必ずしも連結される必要はない。バッテリセル１０がエンドプレート２１およびサイドプレート２２からなるハウジング２０によって拘束されるため、バスバー３１０と端子３００との結合力が強固に維持可能である。また、バスバー３１０と端子３００とが結合された後、必要であれば、バスバー３１０と端子３００とが追加的に溶接されることも可能である。
【００５８】
図８Ａおよび図８Ｂを参照すれば、本発明のさらに他の実施形態にかかる端子３００は、端子本体３０１と、バスバー３１０が締結される締結部３０２とを含む。ここで、締結部３０２の重力方向に並ぶ断面は長方形であり、前記締結部３０２に締結されるバスバー３１０は、締結部３０２に相応するバー（ｂａｒ）形態である。換言すると、バスバー３１０の締結部３０２に締結される部分の、バスバー３１０の挿入方向に垂直な断面は、前述した締結部３０２の断面の形状に相当する形状を有している。本発明において、前記隣接するバッテリセルの締結部３０２は、同じ方向を向くように配置され、前記バスバー３１０は実質的にＵ形状で、前記Ｕ形状のレッグからなる前記バスバー延長部３１２の両端が前記締結部３０２に挿入されて連結される。前記端子３００と締結されるバスバー３１０は、バスバー本体３１１と、バスバー本体３１１の両側から延びて締結部３０２に締結される延長部３１２とを含む。ここで、延長部３１２は、一種のストッパ（ｓｔｏｐｐｅｒ）の役割を果たすことができるが、延長部３１２により締結部３０２に実際に締結されるバスバー本体３１１の長さを調整することができる。また、バスバー３１０がバッテリセル１０の短側面で結合され、締結がより容易になり得る。
【００５９】
以下では、図９ないし図１０Ｂを参照して、本発明のさらに他の実施形態にかかるバッテリモジュールを説明する。本実施形態では、上述した実施形態と同一または類似の構成に関する説明は省略し、上述した実施形態と異なる構成についてのみ説明する。
【００６０】
図９は、本発明のさらに他の実施形態にかかるバッテリモジュールの斜視図であり、図１０Ａは、図９のバッテリモジュールの端子およびこれに締結されるバスバーを説明するための平面図であり、図１０Ｂは、図９の一部分の分解斜視図である。
【００６１】
図９を参照すれば、本発明の実施形態にかかるバッテリモジュール４は、複数のバッテリセル１０と、バッテリセル１０上に備えられ、締結部４０２を有する端子４００と、バッテリセル１０が電気的に連結されるように締結部４０２に締結されるバスバー４１０とを含む。
【００６２】
バッテリセル１０は、一面が開口した電池ケースと、前記電池ケース内に収納された電極組立体および電解液とからなり得る。電極組立体および電解液は、電気化学的反応をしてエネルギーを発生し、前記電池ケースは、キャッププレート１４によって密閉される。前記キャッププレート１４には、端子４００、前記端子４００と締結されるバスバー４１０およびベント部１３が具備できる。前記端子４００は、互いに異なる極性を有する正極端子および負極端子からなり得、ベント部１３は、バッテリセル１０の安全手段であって、バッテリセル１０の内部で発生する気体を外部に放出する通路として作用する。互いに隣接するバッテリセル１０の正極端子および負極端子は、バスバー４１０を介して電気的に連結できる。
【００６３】
本発明の実施形態にかかるバスバー４１０は、端子４００に締まり嵌め結合で締結できる。この時、バスバー４１０と端子４００は、従来とは異なり、ボルトおよびナットのような締結具によって連結されたり、溶接のような方法で必ずしも連結される必要はない。バッテリセル１０がエンドプレート２１およびサイドプレート２２からなるハウジング２０によって拘束されるため、バスバー４１０と端子４００との結合力が強固に維持可能である。また、バスバー４１０と端子４００とが結合された後、必要であれば、バスバー４１０と端子４００とが追加的に溶接されることも可能である。
【００６４】
図１０Ａおよび図１０Ｂを参照すれば、本発明の実施形態にかかる端子４００は、端子本体４０１と、バスバー４１０が締結される締結部４０２とを含む。ここで、締結部４０２の重力方向に並ぶ断面は長方形であり、前記締結部４０２にはバスバー４１０が締結される。締結部４０２は、バスバー４１０の挿入方向に垂直な断面が四角形形態であり得る（図９のｘ軸に沿って延びた方向）。
【００６５】
前記端子４００と締結されるバスバー４１０は、バスバー本体４１１と、バスバー本体４１１の両側から延びて締結部４０２に締結される延長部４１２とを含む。ここで、延長部４１２は、一種のストッパ（ｓｔｏｐｐｅｒ）の役割を果たすことができるが、延長部４１２により締結部４０２に実際に締結されるバスバー本体４１１の長さを調整することができる。
【００６６】
バスバー４１０内のバスバー本体４１１の両側には、締結リブ４１５と、締結リブ４１５の間に備えられる締結溝４１６とが備えられる。ここで、隣り合う前記バスバー本体４１１の締結リブ４１５と締結溝４１６は、互いに補うように締結されて連結される。
【００６７】
締結リブ４１５と、締結リブ４１５の間に備えられる締結溝４１６とにより、バスバー本体４１１は、端子４００に締結される時、柔軟性があるように締結できるという利点がある。図１０Ａを参照すれば、隣接するバスバー本体４１１が互いに連結され、バッテリセル１０は並列に互いに連結できる。したがって、図９を参照すれば、バスバー４１０、バッテリセル１０を選択的に用いて直列、並列または直列と並列の組合せなどで連結可能である。
【００６８】
以下では、図１１ないし図１２Ｂを参照して、本発明のさらに他の実施形態にかかるバッテリモジュールを説明する。第５実施形態では、上述した実施形態と同一または類似の構成に関する説明は省略し、上述した実施形態と異なる構成についてのみ説明する。
【００６９】
図１１は、本発明のさらに他の実施形態にかかるバッテリモジュールの斜視図であり、図１２Ａは、図１１のバッテリモジュールの端子およびこれに締結されるバスバーを説明するための斜視図であり、図１２Ｂは、図１２Ａの分解斜視図である。
【００７０】
図１１を参照すれば、本発明の実施形態にかかるバッテリモジュール５は、複数のバッテリセル１０と、バッテリセル１０上に備えられ、締結部５０２を有する端子５００と、バッテリセル１０が電気的に連結されるように締結部５０２に締結されるバスバー５１０とを含む。ここで、隣り合うバスバー５１０の間には補助バスバー５２０が結合される。
【００７１】
バッテリセル１０は、一面が開口した電池ケースと、前記電池ケース内に収納された電極組立体および電解液とからなり得る。電極組立体および電解液は、電気化学的反応をしてエネルギーを発生し、前記電池ケースは、キャッププレート１４によって密閉される。前記キャッププレート１４には、端子５００、前記端子５００と締結されるバスバー５１０およびベント部１３が具備できる。前記端子５００は、互いに異なる極性を有する正極端子および負極端子からなり得、ベント部１３は、バッテリセル１０の安全手段であって、バッテリセル１０の内部で発生する気体を外部に放出する通路として作用する。互いに隣接するバッテリセル１０の正極端子および負極端子は、バスバー５１０を介して電気的に連結できる。
【００７２】
本発明の実施形態にかかるバスバー５１０は、端子５００に締まり嵌め結合で締結できる。この時、バスバー５１０と端子５００は、従来とは異なり、ボルトおよびナットのような締結具によって連結されたり、溶接のような方法で必ずしも連結される必要はない。バッテリセル１０がエンドプレート２１およびサイドプレート２２からなるハウジング２０によって拘束されるため、バスバー５１０と端子５００との結合力を強固に維持することが可能である。また、バスバー５１０と端子５００とが結合された後、必要であれば、バスバー５１０と端子５００とが追加的に溶接されることも可能である。
【００７３】
図１２Ａおよび図１２Ｂを参照すれば、本発明の実施形態にかかる端子５００は、端子本体５０１と、バスバー５１０が締結される締結部５０２とを含む。ここで、締結部５０２の重力方向に並ぶ断面は円形であり、前記締結部５０２に締結されるバスバー５１０は、締結部５０２に相応する中空の棒形態である。換言すると、バスバー５１０の締結部５０２に締結される部分の、バスバー５１０の挿入方向に垂直な断面は、前述した締結部５０２の断面の形状に相当する形状を有している。ここで、隣り合うバスバー５１０の間には、前記バスバー５１０を連結する補助バスバー５２０がさらに備えられる。締結部５０２は、バスバー５１０の挿入方向に垂直な断面が円筒型であり得る（図１１のｘ軸に沿って延びた方向）。本実施形態において、前記バスバー５１０は第１バスバー、前記補助バスバー５２０は第２バスバーと名付けることも可能である。
【００７４】
補助バスバー５２０は、隣り合うバスバー５１０に相応する、中が空いている中空型の棒形態である。換言すると、補助バスバー５２０の挿入方向に垂直な断面は、隣り合うバスバー５１０の挿入方向に垂直な断面の形状に相当する形状を有している。
【００７５】
前記バスバーの延長部（第１両端部）は、中空型の棒であり、前記補助バスバーの延長部（第２両端部）は、前記バスバーの両端部の内周面に対応する円筒型の外周面を備えることができる。
【００７６】
したがって、補助バスバー５２０の補助バスバー本体５２１は、隣り合うバスバー５１０の内部に締まり嵌めされるように結合できる。
【００７７】
前記端子５００と締結されるバスバー５１０は、バスバー本体５１１と、バスバー本体５１１から延びて端子５００の間に備えられる延長部５１２とを含む。隣り合うバスバー５１０を連結する補助バスバー５２０も、補助バスバー本体５２１と、補助バスバー本体５２１から延びて端子５００の間に備えられる補助バスバー延長部５２２とを含む。本実施形態において、前記延長部５１２、５２２は、前記バスバーと補助バスバーの両端部と見ることができる。ここで、延長部５１２および補助バスバー延長部５２２は、一種のストッパ（ｓｔｏｐｐｅｒ）の役割を果たすことができるが、延長部５１２および補助バスバー延長部５２２により締結部５０２に実際に締結されるバスバー本体５１１の長さを調整することができる。本発明において、前記バスバー５１０と補助バスバー５２０は、前記バッテリセルの端子部の締結部内で互いに連結できる。
【００７８】
図１２Ｂを参照すれば、バスバー５１０と補助バスバー５２０との相互結合により、バッテリセル１０は並列に連結できる。したがって、図１１を参照すれば、バスバー５１０と補助バスバー５２０の選択的使用により、バッテリセル１０は直列、並列またはこれらの組合せで連結可能である。
【００７９】
一方、本発明の実施形態において、前記バスバー５１０と補助バスバー５２０の各延長部（それぞれ第１両端部と第２両端部）は、それぞれ固定リブと固定溝を含み、前記バスバー延長部の固定リブと固定溝は、前記補助バスバーの両端部の固定リブと固定溝に結合可能な形態を有することができる。
【００８０】
本発明において、バッテリモジュールは、複数のバッテリセルを含むことができる。そして、隣接するバッテリセルは電気的に相互連結される。バスバーは、隣接バッテリセルと締結構造、すなわち、ボルト、ナットなどにより連結できる。しかし、より適切なバスバーの締結構造を用いることも可能である。
【００８１】
以上で説明したように本発明の実施形態によれば、簡単な構造変更によりバスバーの締結構造を簡略化できるバッテリモジュールを提供することが可能である。また、バスバーの締結構造を簡略化することができるため、生産費を節減し、工程効率を向上させることが可能である。
【００８２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８３】
１０  バッテリセル
１１０、１１０ａ、１１０ｂ、１１０ｃ、２１０、３１０、４１０  バスバー
１１１、２１１、３１１、４１１、５１１  バスバー本体
１１２、２１２、３１２、４１２、５１２  延長部
１００、２００、３００、４００、５００  端子部
１０１、２０１、３０１、４０１、５０１  端子本体
１０２、２０２、３０２、４０２、５０２  締結部
１０３  締結窓
５１０  バスバー（第１バスバー）
５２０  補助バスバー（第２バスバー）
【図１】
2013214498.tif 000003
【図２Ａ】
2013214498.tif 000004
【図２Ｂ】
2013214498.tif 000005
【図３Ａ】
2013214498.tif 000006
【図３Ｂ】
2013214498.tif 000007
【図３Ｃ】
2013214498.tif 000008
【図４】
2013214498.tif 000009
【図５Ａ】
2013214498.tif 000010
【図５Ｂ】
2013214498.tif 000011
【図６】
2013214498.tif 000012
【図７】
2013214498.tif 000013
【図８Ａ】
2013214498.tif 000014
【図８Ｂ】
2013214498.tif 000015
【図９】
2013214498.tif 000016
【図１０Ａ】
2013214498.tif 000017
【図１０Ｂ】
2013214498.tif 000018
【図１１】
2013214498.tif 000019
【図１２Ａ】
2013214498.tif 000020
【図１２Ｂ】
2013214498.tif 000021